(57)【要約】【課題】電気光学装置において、積層構造の単純化を図り、しかも高品質な表示を可能とする。【解決手段】電気光学装置は、基板（１０）上に、互いに交差するデータ線（６）及び複数の走査線（１１）と、データ線に電気的に接続された第１ソースドレイン領域、及び第２ソースドレイン領域を含んでなる半導体層（３０ａ）と、複数の走査線のうち一の走査線に電気的に接続されたゲート電極とを有するトランジスター（３０ａ）と、半導体層と基板との間に配置され、第２ソースドレイン領域に電気的に接続された第１容量電極（７１）と、第１容量電極に対向するように設けられるとともに一の走査線に隣り合う走査線に電気的に接続された第２容量電極（７３）とを有する蓄積容量（７０）と、を備え、蓄積容量は、基板上に設けられた溝の内部の少なくとも一部に設けられている。【選択図】図８
2012155197.tif 000002
【特許請求の範囲】
【請求項１】
基板上に、
互いに交差するデータ線及び複数の走査線と、
前記データ線に電気的に接続された第１ソースドレイン領域、及び第２ソースドレイン領域を含んでなる半導体層と、前記複数の走査線のうち一の走査線に電気的に接続されたゲート電極とを有するトランジスターと、
前記半導体層と前記基板との間に配置され、前記第２ソースドレイン領域に電気的に接続された第１容量電極と、前記第１容量電極に対向するように設けられるとともに前記一の走査線に隣り合う走査線に電気的に接続された第２容量電極とを有する蓄積容量と、
を備え、
前記蓄積容量は、前記基板上に設けられた溝の内部の少なくとも一部に設けられている
ことを特徴とする電気光学装置。
【請求項２】
前記第１容量電極は、平面視で前記一の走査線と前記一の走査線に隣り合う走査線との間に島状に設けられ、
前記第２容量電極は、前記一の走査線に隣り合う走査線にゲート電極が電気的に接続された第２トランジスターの半導体層と前記基板との間に配置され、前記第２トランジスターのゲート電極に電気的に接続された遮光膜が延在してなる
ことを特徴とする請求項１に記載の電気光学装置。
【請求項３】
前記半導体層は、前記データ線の延在する方向に沿って配置され、
前記蓄積容量は、前記データ線と重なるように配置される
ことを特徴とする請求項１又は２に記載の電気光学装置。
【請求項４】
請求項１から３のいずれか一項に記載の電気光学装置を備えることを特徴とする電子機器。
【発明の詳細な説明】
【技術分野】
【０００１】
本発明は、例えば液晶装置等の電気光学装置、及び該電気光学装置を備えた、例えば液晶プロジェクター等の電子機器の技術分野に関する。
【背景技術】
【０００２】
この種の電気光学装置の一例である液晶装置は、基板上に、画素電極、この画素電極の選択的な駆動を行うための走査線、データ線、及び画素スイッチング用のＴＦＴ（Thin Film Transistor）が層間絶縁膜を介して積層構造として作り込まれ、アクティブマトリクス駆動可能に構成される。画素電極は、基板上の積層構造における最上層に配置される。また、高コントラスト化等を目的として、画素スイッチング用のＴＦＴと画素電極との間に蓄積容量が設けられることがある（例えば特許文献１から４参照）。例えば特許文献１には、蓄積容量を構成する一対の容量電極の一方が、容量線を介して定電位源に電気的に接続される構成が開示されている。例えば特許文献２から４には、蓄積容量を構成する一対の容量電極の一方が、当該蓄積容量に電気的に接続された画素スイッチング用のＴＦＴのゲートに電気的に接続された走査線に隣り合う走査線に電気的に接続される構成が開示されている。
【０００３】
前述したような積層構造をとることにより、液晶装置は、小型でありながらも高精細な画像を表示することが可能となる。
【先行技術文献】
【特許文献】
【０００４】
【特許文献１】特開２００８−１９１２００号公報
【特許文献２】特開平５−８０３５４号公報
【特許文献３】特開平７−３１８９０１号公報
【特許文献４】特開２００２−２４４５８８号公報
【発明の概要】
【発明が解決しようとする課題】
【０００５】
しかしながら、前述したような積層構造をとる液晶装置においては、層の数が増加することにより装置構成が複雑化してしまい、製造工程の複雑高度化、製造期間の長期化及びコストの増大等を招いてしまうという技術的問題点がある。
【０００６】
本発明は、例えば前述した問題点に鑑みなされたものであり、例えば、アクティブマトリクス方式で駆動される液晶装置等の電気光学装置であって、比較的少ない層で構成されており、高品質な表示を可能とする電気光学装置、及び該電気光学装置を具備してなる電子機器を提供することを課題とする。
【課題を解決するための手段】
【０００７】
本発明の電気光学装置は上記課題を解決するために、基板上に、互いに交差するデータ線及び複数の走査線と、前記データ線に電気的に接続された第１ソースドレイン領域、及び第２ソースドレイン領域を含んでなる半導体層と、前記複数の走査線のうち一の走査線に電気的に接続されたゲート電極とを有するトランジスターと、前記半導体層と前記基板との間に配置され、前記第２ソースドレイン領域に電気的に接続された第１容量電極と、前記第１容量電極に対向するように設けられるとともに前記一の走査線に隣り合う走査線に電気的に接続された第２容量電極とを有する蓄積容量と、を備え、前記蓄積容量は、前記基板上に設けられた溝の内部の少なくとも一部に設けられている。
【０００８】
本発明の電気光学装置によれば、その動作時には、例えば、データ線から画素電極へ画像信号が制御され、いわゆるアクティブマトリクス方式による画像表示が可能となる。この際、蓄積容量によって、画素電極における電位保持特性が向上し、表示の高コントラスト化が可能となる。なお、画像信号は、データ線及び画素電極間に電気的に接続されたトランジスターが走査線を介して供給される走査信号に応じてオンオフされることによって、所定のタイミングでデータ線からトランジスターを介して画素電極に供給される。画素電極は、典型的には、基板上の積層構造における最上層側に配置される。また、データ線は、典型的には、基板上の積層構造におけるトランジスターよりも上層側であって画素電極よりも下層側に配置される。画素電極、トランジスター及び蓄積容量は、基板上における複数のデータ線及び複数の走査線の交差に対応して例えばマトリクス状に規定される画素毎に設けられる。
【０００９】
本発明では特に、蓄積容量は、半導体層と基板との間（言い換えれば、基板上における半導体層よりも下層側）に配置されており、蓄積容量の第２容量電極は、複数の走査線のうち当該蓄積容量が電気的に接続されたトランジスターのゲート電極が電気的に接続された一の走査線に隣り合う走査線に電気的に接続されている。即ち、例えば、基板上に設けられたｍ本（但し、ｍは自然数）の走査線のうち第ｉ番目（ｉ＝１、…、ｍ）に走査信号が供給される第ｉ番の走査線に対応する画素に設けられた蓄積容量の第２容量電極は、第ｉ番目の走査線に隣り合うとともに第ｉ−１番目に走査信号が供給される第ｉ−１番の走査線に電気的に接続されている。よって、例えば、蓄積容量の第２容量電極に所定電位を供給するための所定電位線を、基板上の積層構造において走査線とは別個の層として設ける場合と比較して、基板上の積層構造の単純化を図ることができる。つまり、本発明によれば、例えば、蓄積容量が電気的に接続されたトランジスターのゲート電極が電気的に接続された走査線に隣り合う走査線が、該蓄積容量の第２容量電極に所定電位を供給するための所定電位線を兼ねるので、基板上の積層構造の単純化を図ることができる。更に、蓄積容量は、半導体層と基板との間（即ち、基板上における半導体層よりも下層側）に配置されるので、例えば、第２容量電極を、半導体層のチャネル領域や第２ソースドレイン領域を遮光するために半導体層よりも下層側に設けられる遮光膜と同一膜から形成することができる。ここで、「同一膜」とは、製造工程における同一機会に成膜される膜を意味し、同一種類の膜である。よって、基板上の積層構造の単純化を図ることができる。基板上の積層構造が単純になることで、画素の微細化を図ることが容易となり、高品位な表示を行うことが可能となる。
【００１０】
更に本発明では特に、蓄積容量は、基板上に設けられた溝の内部の少なくとも一部に設けられている。よって、蓄積容量がいわゆるトレンチ構造を有する容量素子として形成されるので、蓄積容量の容量値を向上させることができる。即ち、例えば溝が形成されていない平坦な基板上に蓄積容量を設ける場合と比較して、蓄積容量の容量値を、蓄積容量が基板上に設けられた溝の内部の少なくとも一部に設けられた溝内部分を有する分だけ大きくすることができる。なお、本発明に係る「基板上に設けられた溝」は、基板に直接掘られた溝であってもよいし、基板上に設けられた絶縁膜に掘られた溝であってもよい。
【００１１】
以上説明したように、本発明によれば、基板上の積層構造の単純化を図ることができ、高品位な表示を行うことが可能となる。
【００１２】
本発明の電気光学装置の一態様では、前記第１容量電極は、平面視で前記一の走査線と前記一の走査線に隣り合う走査線との間に島状に設けられ、前記第２容量電極は、前記一の走査線に隣り合う走査線にゲート電極が電気的に接続された第２トランジスターの半導体層と前記基板との間に配置され、前記第２トランジスターのゲート電極に電気的に接続された遮光膜が延在してなる。
【００１３】
この態様によれば、第１容量電極及び第２容量電極を有する蓄積容量を互いに隣り合う走査線間に配置できるとともに、遮光膜によって第２トランジスターの半導体層を遮光することができ、第２トランジスターに光リーク電流が生じることを低減或いは防止できる。
【００１４】
本発明の電気光学装置の他の態様では、前記半導体層は、前記データ線の延在する方向に沿って配置され、前記蓄積容量は、前記データ線と重なるように配置される。
【００１５】
この態様によれば、半導体層及び蓄積容量をデータ線と重なるように配置することができ、基板上における光を透過しない非開口領域がデータ線及び蓄積容量の存在によって大きくなってしまうこと（言い換えれば、基板上における光を透過する開口領域がデータ線及び蓄積容量の存在によって小さくなってしまうこと）を低減或いは防止できる。
【００１６】
本発明の電子機器は上記課題を解決するために、前述した本発明の電気光学装置（但し、その各種態様も含む）を備える。
【００１７】
本発明の電子機器によれば、前述した本発明の電気光学装置を備えるので、高品位な表示を行うことが可能な、投射型表示装置、テレビ、携帯電話、電子手帳、ワードプロセッサー、ビューファインダー型又はモニター直視型のビデオテープレコーダー、ワークステーション、テレビ電話、ＰＯＳ端末、タッチパネルなどの各種電子機器を実現できる。また、本発明の電子機器として、例えば電子ペーパーなどの電気泳動装置、電子放出装置（Field Emission Display及びConduction Electron-Emitter Display）、これら電気泳動装置、電子放出装置を用いた表示装置を実現することも可能である。
【００１８】
本発明の作用及び他の利得は次に説明する発明を実施するための形態から明らかにされる。
【図面の簡単な説明】
【００１９】
【図１】第１実施形態に係る液晶装置の全体構成を示す平面図である。
【図２】図１のII−II’線断面図である。
【図３】第１実施形態に係る液晶装置の電気的な構成を示す回路図である。
【図４】第１実施形態に係る液晶装置の複数の走査線の電位の経時変化を示すタイミングチャートである。
【図５】第１実施形態における走査線の電位と蓄積容量の保持電位との関係の一例を示す表である。
【図６】第１実施形態に係る液晶装置のＴＦＴアレイ基板上の画素の構成（下層部分）を示す平面図である。
【図７】第１実施形態に係る液晶装置のＴＦＴアレイ基板上の画素の構成（上層部分）を示す平面図である。
【図８】図６及び図７を重ね合わせた場合のVIII−VIII’線断面図である。
【図９】電気光学装置を適用した電子機器の一例たるプロジェクターの構成を示す平面図である。
【発明を実施するための形態】
【００２０】
以下では、本発明の実施形態について図を参照しつつ説明する。以下の実施形態では、本発明の電気光学装置の一例であるＴＦＴアクティブマトリクス駆動方式の液晶装置を例にとる。
【００２１】
＜第１実施形態＞
第１実施形態に係る液晶装置について、図１から図８を参照して説明する。
【００２２】
先ず、本実施形態に係る液晶装置の全体構成について、図１及び図２を参照して説明する。
【００２３】
図１は、本実施形態に係る液晶装置の全体構成を示す平面図であり、図２は、図１のII−II’線断面図である。
【００２４】
図１及び図２において、本実施形態に係る液晶装置１００では、ＴＦＴアレイ基板１０と対向基板２０とが互いに対向するように配置されている。ＴＦＴアレイ基板１０と対向基板２０との間に液晶層５０が封入されており、ＴＦＴアレイ基板１０と対向基板２０とは、画像表示領域１０ａの周囲に位置するシール領域５２ａに設けられたシール材５２により相互に接着されている。なお、ＴＦＴアレイ基板１０は本発明に係る「基板」の一例である。
【００２５】
図１において、シール材５２が配置されたシール領域５２ａの内側に並行して、画像表示領域１０ａの額縁領域を規定する遮光性の額縁遮光膜５３が、対向基板２０側に設けられている。画像表示領域１０ａの周辺に位置する周辺領域のうち、シール材５２が配置されたシール領域５２ａの外側に位置する領域には、データ線駆動回路１０１及び外部回路接続端子１０２がＴＦＴアレイ基板１０の一辺に沿って設けられている。この一辺に沿ったシール領域５２ａよりも内側に、サンプリング回路７が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００２６】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００２７】
図２において、ＴＦＴアレイ基板１０上には、画素スイッチング用のＴＦＴや走査線、データ線等の配線が作り込まれた積層構造が形成されている。画像表示領域１０ａには、画素スイッチング用のＴＦＴや走査線、データ線等の配線の上層に、ＩＴＯ（Indium Tin Oxide）等の透明導電材料からなる画素電極９がマトリクス状に設けられている。画素電極９上には、配向膜が形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上に、ＩＴＯ等の透明導電材料からなる対向電極２１が複数の画素電極９と対向してベタ状に形成されている。対向電極２１上には配向膜が形成されている。また、液晶層５０は、例えば一種又は数種類のネマティック液晶を混合した液晶からなり、これら一対の配向膜間で、所定の配向状態をとる。
【００２８】
なお、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００２９】
次に、液晶装置１００の画像表示領域１０ａにおける電気的な構成について、図３を参照して説明する。
【００３０】
図３は、本実施形態に係る液晶装置１００の電気的な構成を示す回路図である。
【００３１】
図３において、本実施形態に係る液晶装置１００は、ＴＦＴアレイ基板１０における画像表示領域１０ａに、複数の画素９００と、互いに交差するように配線されたｍ＋１本の走査線１１（即ち、走査線Ｇ０、Ｇ１、…、Ｇｍ）及びｎ本のデータ線６とを備えている。ここで、ｍ、ｎはそれぞれ自然数である。
【００３２】
画素９００は、画像表示領域１０ａにｍ行×ｎ列のマトリクス状に２次元に配置されている。より具体的には、画素９００は、画像表示領域１０ａにおける左側から第１列、第２列、…、第ｎ列で、上側から第１行、第２行、…、第ｍ行のマトリクス状に配置されている。即ち、走査線Ｇ１、…、Ｇｍとｎ本のデータ線６との交点に対応して単位表示素子である画素９００が設けられている。
【００３３】
画素９００は、ＴＦＴ３０、液晶容量Ｃｌｃ及び蓄積容量７０を備えている。
【００３４】
液晶容量Ｃｌｃは、画素電極９、対向電極２１及び液晶層５０（図２参照）による容量である。対向電極２１には所定の基準電位が供給される。
【００３５】
ＴＦＴ３０は、本発明に係る「トランジスター」の一例としてのＮチャネル型又はＰチャネル型のＴＦＴである。ＴＦＴ３０のソースはデータ線６に電気的に接続されている。ＴＦＴ３０のゲートは走査線１１に電気的に接続されている。より具体的には、第ｉ行（但し、ｉ＝１、…、ｍ）をなす画素９００のＴＦＴ３０のゲートは、第ｉ番の走査線Ｇｉ（但し、ｉ＝１、…、ｍ）に電気的に接続されている。ＴＦＴ３０は、走査線線駆動回路１０４から供給される走査信号によってオンオフが切り換えられる。ＴＦＴ３０のドレインは、液晶容量Ｃｌｃ及び蓄積容量７０の各々の一端に電気的に接続されている。
【００３６】
蓄積容量７０は、保持された画像信号がリークするのを防ぐために、液晶容量Ｃｌｃに並列に電気的に接続されている。なお、本実施形態では、第ｉ行第ｋ列（但し、ｉ＝１、…、ｍ、ｋ＝１、…、ｎ）の画素９００の蓄積容量７０を「蓄積容量Ｃｓｉｋ」と適宜称する。
【００３７】
蓄積容量７０を構成する一対の容量電極の一方は、ＴＦＴ３０のドレインに電気的に接続されている。蓄積容量７０を構成する一対の容量電極の他方は、該蓄積容量７０が電気的に接続されたＴＦＴ３０のゲートが電気的に接続された走査線１１に隣り合う走査線１１に電気的に接続されている。より具体的には、第ｉ行をなす画素９００の蓄積容量７０は、第ｉ−１番の走査線Ｇｉ−１に電気的に接続されている。即ち、第１行をなす画素９００の蓄積容量Ｃｓ１１、Ｃｓ１２、…、Ｃｓ１ｎは、走査線Ｇ０に電気的に接続され、第２行をなす画素９００の蓄積容量Ｃｓ２１、Ｃｓ２２、…、Ｃｓ２ｎは、走査線Ｇ１に電気的に接続され、…、第ｍ行をなす画素９００の蓄積容量Ｃｓｍ１、Ｃｓｍ２、…、Ｃｓｍｎは、走査線Ｇｍ−１に電気的に接続されている。
【００３８】
ＴＦＴ３０のゲートに走査信号が入力されてＴＦＴ３０がオン状態になると、データ線６に電気的に接続されたＴＦＴ３０のソースに印加されている電圧が液晶容量Ｃｌｃ及び蓄積容量７０に印加され、供給された画像信号の電位が維持される。これにより、画像表示が行われる際に画素９００に供給された画像信号の電位を長時間保持することが可能となる。なお、データ線６に書き込む画像信号ＶＳ１、ＶＳ２、…、ＶＳｎは、この順に線順次に供給しても構わないし、相隣接する複数のデータ線６同士に対して、グループ毎に供給するようにしてもよい。
【００３９】
次に、液晶装置１００の画像信号の書き込み動作について、図４及び図５を参照して説明する。
【００４０】
図４は、本実施形態に係る液晶装置１００の走査線Ｇ０、…、Ｇｍの電位の経時変化を示すタイミングチャートである。
【００４１】
図４に示すように、液晶装置１００の動作時には、走査線Ｇ０、Ｇ１、…、Ｇｍに対してこの順にパルス状の走査信号が供給され、走査線Ｇ０、Ｇ１、…、Ｇｍは、この順に、所定期間だけ、ＴＦＴ３０をオン状態にするための電位（例えば１５．５ボルト）とされる。走査線Ｇ０、Ｇ１、…、Ｇｍは、走査信号が供給される期間以外の期間では、ＴＦＴ３０をオフ状態にするための電位（例えば０ボルト）に維持される。
【００４２】
図５は、走査線１１の電位と蓄積容量７０の保持電位との関係の一例を示す表である。なお、本実施形態では、いわゆる面反転駆動方式が採用されており、画像信号は、所定周期で、基準電位（例えば７ボルト）に対して高位側の正極性と低位側の負極性とで極性反転される。即ち、各画素９００には、正極性の電位（即ち、プラスフィールドの電位、例えば１２ボルト）と、負極性の電位（即ち、マイナスフィールドの電位、例えば２ボルト）とが交互に供給される。より具体的には、画像信号は、一のフレームに対応する表示を行う間、画素９００には基準電位に対して正極性の電位で供給され、これに続く次のフレームに対応する表示を行う間は、逆に画素９００には基準電位に対して負極性の電位で供給されるように、電位が極性反転される。
【００４３】
ここでは、説明の便宜上、全ての画素９００に２ボルト（Ｖ）又は１２ボルト（Ｖ）の画像信号が書き込まれた状態を初期状態として説明する。即ち、全ての蓄積容量７０に２Ｖ又は１２Ｖの画像信号の電位が保持されている状態を初期状態として説明する。
【００４４】
図５において、走査線Ｇ１に走査信号が供給されると（即ち、Ｇ１走査時）、走査線Ｇ１の電位は１５．５Ｖとなる。これにより、蓄積容量Ｃｓ１１（即ち、第１行−第１列の画素９００の蓄積容量７０）には、オン状態とされたＴＦＴ３０を介してデータ線６から１２Ｖ又は２Ｖの画像信号が書き込まれる。この際、蓄積容量Ｃｓ２１（即ち、第２行−第１列の画素９００の蓄積容量７０）を構成する一対の容量電極のうち走査線Ｇ１に電気的に接続された容量電極の電位が、走査線Ｇ１の電位の変化（即ち、０Ｖから１５．５Ｖへの変化）に応じて変化することにより、蓄積容量Ｃｓ２１の保持電位（即ち、蓄積容量Ｃｓ２１を構成する一対の容量電極のうち画素電極９に電気的に接続された容量電極の電位）が２Ｖから１７．５Ｖへ又は１２Ｖから２７．５Ｖへと変化することが考えられる。なお、この際、蓄積容量Ｃｓ３１、Ｃ４１、…、Ｃｍ１は、初期状態のまま維持される。
【００４５】
次に、走査線Ｇ２に走査信号が供給されると（即ち、Ｇ２走査時）、走査線Ｇ２の電位は１５．５Ｖとなる。これにより、蓄積容量Ｃｓ２１には、オン状態とされたＴＦＴ３０を介してデータ線６から１２Ｖ又は２Ｖの画像信号が書き込まれる。即ち、Ｇ１走査時に、走査線Ｇ１の電位の変化に応じて、蓄積容量Ｃｓ２１の保持電位が２Ｖから１７．５Ｖへ又は１２Ｖから２７．５Ｖへと変化したとしても、続くＧ２走査時に蓄積容量Ｃｓ２１に１２Ｖ又は２Ｖの画像信号が書き込まれる。よって、走査線Ｇ１の電位の変化に応じて、蓄積容量Ｃｓ２１の保持電位が２Ｖから１７．５Ｖへ又は１２Ｖから２７．５Ｖへと変化したとしても、その期間は極僅か（例えば、走査線１１の本数が１０８０本であるフルハイビジョン表示の場合、せいぜい１フレーム期間の１０８０分の１倍程度）であるため、表示上の不具合として視認されることは殆ど或いは全くない。
【００４６】
走査線Ｇ３、Ｇ４、…、Ｇｍについても同様の動作が繰り返される。
【００４７】
次に、液晶装置１００の画素９００の具体的な構成について、図６から図８を参照して説明する。
【００４８】
図６及び図７は、ＴＦＴアレイ基板１０上の画素９００の構成を示す平面図であり、それぞれ、後述する積層構造のうち下層部分（図６）と上層部分(図７)に相当する。図８は、図６及び図７を重ね合わせた場合のVIII−VIII’線断面図である。なお、図６から図８においては、各層・各部材を図面上で認識可能な程度の大きさとするため、該各層・各部材ごとに縮尺を異ならしめてある。また、説明の便宜上、図７には、上層部分に加えて、図６に示した下層部分の一部である半導体層３０ａも示してある。
【００４９】
図６から図８では、図３を参照して前述した画素の各回路要素が、パターン化され、積層された導電膜としてＴＦＴアレイ基板１０上に構築されている。各回路要素は、下から順に、蓄積容量７０、遮光膜１２等を含む第１層、ＴＦＴ３０、走査線１１等を含む第２層、中継層８１等を含む第３層、データ線６等を含む第４層、画素電極９等を含む第５層からなる。また、第１層−第２層間には層間絶縁膜４１、第２層−第３層間には層間絶縁膜４２、第３層−第４層間には層間絶縁膜４３、第４層−第５層間には層間絶縁膜４４がそれぞれ設けられ、前述した各要素間が短絡することを防止している。なお、このうち、第１層から第２層までが下層部分として図６に示され、第３層から第５層までが上層部分として図７に示されている。画素電極９は、層間絶縁膜４４上に例えばマトリクス状に配列されている。
【００５０】
図６から図８では、互いに隣接する第ｉ行の画素９００及び第ｉ−１行の画素９００の構成が示されている。
【００５１】
（第１層の構成―蓄積容量、遮光膜等―）
図６及び図８において、第１層として蓄積容量７０及び遮光膜１２が設けられている。
【００５２】
蓄積容量７０は、容量電極７１、誘電体膜７２及び容量電極７３から構成されている。蓄積容量７０は、いわゆるトレンチ構造を有しており、ＴＦＴアレイ基板１０に形成されたトレンチ９１内に形成されたトレンチ内部分７０ａを有している。なお、トレンチ９１は本発明に係る「溝」の一例であり、トレンチ内部分７０ａは本発明に係る「溝内部分」の一例である。
【００５３】
容量電極７１は、本発明に係る「第１容量電極」の一例であり、例えばＴｉＮ（窒化チタン）等から形成されている。容量電極７１は、ＴＦＴアレイ基板１０上で平面的に見て、トレンチ９１に重なるように形成されている。容量電極７１は、コンタクトホール３３を介して半導体層３０ａの画素電極側ソースドレイン領域３０ａ３に電気的に接続されている。
【００５４】
容量電極７３は、本発明に係る「第２容量電極」の一例であり、誘電体膜７２を介して容量電極７１に対向するように設けられている。容量電極７３は、例えば、Ｗ（タングステン）、Ｔｉ（チタン）、ＴｉＮ等の遮光性の導電材料から形成されている。
【００５５】
誘電体膜７２は、例えば窒化シリコン等の透明な誘電性材料から形成されている。誘電体膜７２は、画像表示領域１０ａの略全体に重なるように形成されている。なお、誘電体膜７２は例えば窒化シリコン等の透明な誘電性材料で構成されるため、誘電体膜７２を、画像表示領域１０ａに広く形成しても、開口領域における光透過率を殆ど或いは実践上全く低下させることはない。
【００５６】
遮光膜１２は、走査線１１毎に、ＴＦＴアレイ基板１０上で平面的に見て、走査線１１に概ね重なるように形成されるとともに、半導体層３０ａのチャネル領域３０ａ１及び画素電極側ソースドレイン領域３０ａ３に重なるように形成されている。なお、本実施形態では、第ｉ番の走査線Ｇｉに対応して設けられた遮光膜１２を「遮光膜１２ｉ」と適宜称し、第ｉ行の画素９００が有するＴＦＴ３０を「ＴＦＴ３０ｉ」と適宜称する。
【００５７】
容量電極７３及び遮光膜１２は互いに同一膜から形成されている。即ち、容量電極７３及び遮光膜１２は、製造工程における同一機会に成膜された膜である。第ｉ行の画素９００の容量電極７３及び遮光膜１２ｉ−１は、連続した一つの膜として形成されており、ＴＦＴ３０ｉ−１の半導体層３０ａの両脇に形成されたコンタクトホール３１（図６参照）を介して第ｉ−１番の走査線Ｇｉ−１に電気的に接続されている。遮光膜１２ｉのうち半導体層３０ａのチャネル領域３０ａ１にＴＦＴアレイ基板１０上で平面的に見て重なる部分がＴＦＴ３０ｉのゲート電極３０ｂ２として機能する。即ち、遮光膜１２ｉは、走査線Ｇｉに電気的に接続され、その一部がＴＦＴ３０ｉのゲート電極３０ｂ２を兼ねるように形成されている。
【００５８】
層間絶縁膜４１は、例えばＮＳＧ（ノンシリケートガラス）によって形成されている。その他、層間絶縁膜４１には、ＰＳＧ（リンシリケートガラス）、ＢＳＧ（ボロンシリケートガラス）、ＢＰＳＧ（ボロンリンシリケートガラス）等のシリケートガラス、窒化シリコンや酸化シリコン等を用いることができる。層間絶縁膜４１の表面は、化学的研磨処理（Chemical Mechanical Polishing：ＣＭＰ）や研磨処理、スピンコート処理、凹への埋め込み処理等の平坦化処理がなされている。
【００５９】
（第２層の構成―ＴＦＴ、走査線等―）
図６及び図８において、第２層として、ＴＦＴ３０及び走査線１１が設けられている。ＴＦＴ３０は、半導体層３０ａ、ゲート電極３０ｂ１及び３０ｂ２を備えている。なお、ゲート電極３０ｂ１は本発明に係る「第１ゲート電極」の一例であり、ゲート電極３０ｂ２は本発明に係る「第２ゲート電極」の一例である。
【００６０】
半導体層３０ａは、例えばポリシリコンからなり、チャネル領域３０ａ１、データ線側ソースドレイン領域３０ａ２、画素電極側ソースドレイン領域３０ａ３、データ線側ＬＤＤ領域３０ａ４及び画素電極側ＬＤＤ領域３０ａ５を含んで構成されている。即ち、ＴＦＴ３０はＬＤＤ構造を有している。尚、データ線側ソースドレイン領域３０ａ２は、本発明に係る「第１ソースドレイン領域」の一例であり、画素電極側ソースドレイン領域３０ａ３は、本発明に係る「第２ソースドレイン領域」の一例である。
【００６１】
データ線側ソースドレイン領域３０ａ２及び画素電極側ソースドレイン領域３０ａ３は、チャネル領域３０ａ１を基準として、半導体層３０ａが延びる方向（即ち、Ｙ方向）に沿ってほぼミラー対称に形成されている。データ線側ＬＤＤ領域３０ａ４は、チャネル領域３０ａ１及びデータ線側ソースドレイン領域３０ａ２間に形成されている。画素電極側ＬＤＤ領域３０ａ５は、チャネル領域３０ａ１及び画素電極側ソースドレイン領域３０ａ３間に形成されている。データ線側ＬＤＤ領域３０ａ４、画素電極側ＬＤＤ領域３０ａ５、データ線側ソースドレイン領域３０ａ２及び画素電極側ソースドレイン領域３０ａ３は、例えばイオンインプランテーション法等の不純物打ち込みによって半導体層３０ａに不純物を打ち込んでなる不純物領域である。データ線側ＬＤＤ領域３０ａ４及び画素電極側ＬＤＤ領域３０ａ５はそれぞれ、データ線側ソースドレイン領域３０ａ２及び画素電極側ソースドレイン領域３０ａ３よりも不純物の少ない低濃度な不純物領域として形成されている。このような不純物領域によれば、ＴＦＴ３０の非動作時において、データ線側ソースドレイン領域３０ａ２及び画素電極側ソースドレイン領域３０ａ３間に流れるオフ電流を低減し、且つＴＦＴ３０の動作時に流れるオン電流の低下を抑制できる。尚、ＴＦＴ３０は、本実施形態に係る液晶装置１００のようにＬＤＤ構造を有することが好ましいが、データ線側ＬＤＤ領域３０ａ４、画素電極側ＬＤＤ領域３０ａ５に不純物打ち込みを行わないオフセット構造であってもよいし、ゲート電極３ｂ１をマスクとして不純物を高濃度に打ち込んでデータ線側ソースドレイン領域及び画素電極側ソースドレイン領域を形成する自己整合型であってもよい。
【００６２】
半導体層３０ａは、ＴＦＴアレイ基板１０上で平面的に見て、後述するデータ線６に沿って延びるように（即ち、図６のＹ方向に沿って延びるように）、且つ、データ線６の一部に重なるように形成されている。
【００６３】
ゲート電極３０ｂ１は、ゲート絶縁膜１３を介して半導体層３０ａの上層側に、ＴＦＴアレイ基板１０上で平面的に見て、半導体層３０ａのチャネル領域３０ａ１と重なるように形成されている。ゲート電極３０ｂ１は、走査線１１の一部として例えば導電性ポリシリコンから形成されており、ゲート絶縁膜１３及び層間絶縁膜４１を貫通するコンタクトホール３１を介して、遮光膜１２の一部からなるゲート電極３０ｂ２に電気的に接続されている。コンタクトホール３１は、半導体層３０ａの両脇に形成されている。走査線１１は、図６のＸ方向に沿って延びるように形成されている。ゲート電極３０ｂ１は、遮光性を有しており、図６に示すように、画素電極側ＬＤＤ領域３０ａ５の両脇を囲うように形成されている。よって、画素電極側ＬＤＤ領域３０ａ５に対して両脇から入射する光は、ゲート電極３０ｂ１によって遮光される。このため、ゲート電極３ｂ１は、ゲート本来の機能を果たすことを条件として、例えば反射率が高い又は光吸収率が高いなど、遮光性に優れた不透明のポリシリコン膜、金属膜、金属シリサイド膜等の単一層又は多層から構成されているのが好ましい。但し、ゲート電極３ｂ１の材料に若干なりとも遮光能力（即ち、光反射能力又は光吸収能力）が備わっていれば、上述の如き独自の形状及び配置を有する限りにおいて、前述の如き画素電極側ＬＤＤ領域３０ａ５に対して斜めに入射する光を遮光する機能は相応に得られる。
【００６４】
ゲート電極３０ｂ２は、層間絶縁膜４１を介して半導体層３０ａの下層側に、ＴＦＴアレイ基板１０上で平面的に見て、半導体層３０ａのチャネル領域３０ａ１と重なるように形成されている。ゲート電極３０ｂ２は、遮光膜１２の一部として形成されている。
【００６５】
本実施形態では、ＴＦＴ３０は、半導体層３０ａの上層側に配置されたゲート電極３ｂ１と、半導層３０ａの下層側に配置されたゲート電極３ｂ２との２つのゲート電極を備える、即ち、ダブルゲート構造を有する。よって、液晶装置１００の動作時に、ゲート電極３ｂ１及び３ｂ２の各々に、走査線１１から走査信号が供給され、ＴＦＴ３０はオン状態となる。この状態で、ゲート電極３ｂ１及び３ｂ２の各々には走査信号に応じたゲート電圧が印加され、半導体層３０ａのチャネル領域３０ａ１における上面側及び下面側の両方にチャネルを形成できる。よって、仮に半導体層３０ａのチャネル領域３０ａ１における上面側のみにチャネルが形成される場合と比較して、ＴＦＴ３０の動作時にチャネル領域３０ａ１に流れる電流、即ちオン電流を大きくすることができる。但し、ＴＦＴ３０は、トップゲート型として構成されてもよいし、ボトムゲート型として構成されてもよい。即ち、ＴＦＴ３０は、ゲート電極３ｂ１及び３ｂ２のうちいずれか一方のみを備えるように構成されてもよい。
【００６６】
層間絶縁膜４２は、例えばＮＳＧによって形成されている。その他、層間絶縁膜４２には、ＰＳＧ、ＢＳＧ、ＢＰＳＧ等のシリケートガラス、窒化シリコンや酸化シリコン等を用いることができる。層間絶縁膜４２の表面は、ＣＭＰ等の平坦化処理がなされている。
【００６７】
（第３層の構成―中継層等―）
図７及び図８において、第３層として、中継層８１が設けられている。
【００６８】
中継層８１は、例えばＷＳｉ（タングステンシリサイド）等からなり、ＴＦＴアレイ基板１０上で平面的に見て、半導体層３０ａの一部に重なるように形成されている。中継層８１は、層間絶縁膜４２を貫通するコンタクトホール３４を介して画素電極側ソースドレイン領域３０ａ３に電気的に接続されている。また、中継層８１は、層間絶縁膜４３及び４４を貫通するコンタクトホール３５を介して画素電極９に電気的に接続されている。即ち、中継層８１は、ＴＦＴ３０の画素電極側ソースドレイン領域３０ａ３と画素電極９とを電気的に中継接続する機能を有している。
【００６９】
層間絶縁膜４３は、例えばＮＳＧによって形成されている。その他、層間絶縁膜４３には、ＰＳＧ、ＢＳＧ、ＢＰＳＧ等のシリケートガラス、窒化シリコンや酸化シリコン等を用いることができる。
【００７０】
（第４層の構成―データ線等―）
図７及び図８において、第４層として、データ線６が設けられている。
【００７１】
データ線６は、例えばＡｌ（アルミニウム）等から形成されている。データ線６は、走査線１１と交差するように（即ち、図７のＹ方向に沿って延びるように）且つ半導体層３０ａを概ね覆うように形成されている。データ線６は、層間絶縁膜４３及び４２並びにゲート絶縁膜１３を貫通するコンタクトホール３２を介して、半導体層３０ａのデータ線側ソースドレイン領域３０ａ２に電気的に接続されている。
【００７２】
層間絶縁膜４４は、例えばＮＳＧによって形成されている。その他、層間絶縁膜４４には、ＰＳＧ、ＢＳＧ、ＢＰＳＧ等のシリケートガラス、窒化シリコンや酸化シリコン等を用いることができる。層間絶縁膜４４の表面は、ＣＭＰ等の平坦化処理がなされている。
【００７３】
（第５層の構成―画素電極等―）
第５層として、画素電極９が設けられている。
【００７４】
画素電極９は、縦横に区画配列された画素領域の各々に配置され、その境界にデータ線６及び走査線１１が格子状に配列するように形成されている（図６及び図７参照）。また、画素電極９は、例えばＩＴＯ等の透明導電材料からなる。
【００７５】
画素電極９は、コンタクトホール３５を介して、中継層８１と電気的に接続されている。更に前述したように、中継層８１とＴＦＴ３０の画素電極側ソースドレイン領域３０ａ３とはコンタクトホール３４を介して電気的に接続されている。即ち、画素電極９とＴＦＴ３０の画素電極側ソースドレイン領域３０ａ３とは、中継層８１を中継して電気的に接続されている。
【００７６】
なお、画素電極９の上側には、ラビング処理等の所定の配向処理が施された配向膜が設けられている。
【００７７】
以上説明した画素の構成は、各画素に共通である。前述した画像表示領域１０ａ（図１参照）には、かかる画素が周期的に形成されていることになる。
【００７８】
図３、図６及び図８において、本実施形態では特に、蓄積容量７０は、半導体層３０ａよりも下層側に配置されており、蓄積容量７０の容量電極７３は、複数の走査線１１のうち当該蓄積容量７０が電気的に接続されたＴＦＴ３０のゲート電極３０ｂ１及び３０ｂ２が電気的に接続された走査線Ｇｉに隣り合う走査線Ｇｉ−１に電気的に接続されている。即ち、ＴＦＴアレイ基板１０上に設けられた第ｉ番の走査線Ｇｉに対応する画素９００（言い換えれば、第ｉ行をなす画素９００）に設けられた蓄積容量７０の容量電極７３は、第ｉ−１番の走査線Ｇｉ−１に電気的に接続されている。よって、例えば、仮に、蓄積容量７０の容量電極７３に所定電位を供給するための所定電位線を、ＴＦＴアレイ基板１０上の積層構造において走査線１１とは別個の層として設ける場合と比較して、ＴＦＴアレイ基板１０上の積層構造の単純化を図ることができる。つまり、本実施形態によれば、走査線Ｇｉ−１が、第ｉ行をなす画素９００の蓄積容量７０の容量電極７３に所定電位を供給するための所定電位線を兼ねるので、ＴＦＴアレイ基板１０上の積層構造の単純化を図ることができる。ＴＦＴアレイ基板１０上の積層構造が単純になることで、画素の微細化を図ることが容易となり、高品位な表示を行うことが可能となる。
【００７９】
更に、本実施形態では特に、蓄積容量７０は、いわゆるトレンチ構造を有しており、ＴＦＴアレイ基板１０に掘られたトレンチ９１内に設けられたトレンチ内部分７０ａを有している。よって、例えばトレンチが形成されていない平坦なＴＦＴアレイ基板１０上に蓄積容量７０を設ける場合と比較して、蓄積容量７０の容量値を、蓄積容量７０がトレンチ内部分７０ａを有する分だけ大きくすることができる。言い換えれば、蓄積容量７０がトレンチ内部分７０ａを有さない場合（即ち、蓄積容量７０が平面的にのみ形成される場合）と比較して、製品に要求される表示性能を実現する容量値を有する蓄積容量７０を、ＴＦＴアレイ基板１０上の狭い領域に作り込むことができる。したがって、画像表示におけるフリッカや画素ムラを低減でき、更には、装置の小型化を実現できる。
【００８０】
加えて、図３、図６及び図８において、本実施形態では特に、容量電極７１は、平面視で一の走査線Ｇｉと一の走査線Ｇｉに隣り合う走査線Ｇｉ−１との間に島状に設けられ、容量電極７３は、一の走査線Ｇｉに隣り合う走査線Ｇｉ−１にゲート電極３０ｂ１が電気的に接続されたＴＦＴ３０ｉ−１の半導体層３０ａとＴＦＴアレイ基板１０との間に配置され、ＴＦＴ３０ｉ−１のゲート電極３０−１に電気的に接続された遮光膜１２ｉ−１が延在してなる。よって、蓄積容量７０を互いに隣り合う走査線１１間に配置できるとともに、遮光膜１２によって半導体層３０ａを遮光することができ、ＴＦＴ３０に光リーク電流が生じることを低減或いは防止できる。
【００８１】
更に、図３及び図６から図８において、本実施形態では特に、半導体層３０ａは、データ線６の延在する方向（即ち、Ｙ方向）に沿って配置され、蓄積容量７０は、データ線６と重なるように配置されている。よって、半導体層３０ａ及び蓄積容量７０をデータ線６と重なるように配置することができ、ＴＦＴアレイ基板１０上における光を透過しない非開口領域がデータ線６及び蓄積容量７０の存在によって大きくなってしまうこと（言い換えれば、ＴＦＴアレイ基板１０上における光を透過する開口領域がデータ線６及び蓄積容量７０の存在によって小さくなってしまうこと）を低減或いは防止できる。
【００８２】
以上説明したように、本発明によれば、ＴＦＴアレイ基板１０上の積層構造の単純化を図ることができ、高品位な表示を行うことが可能となる。
【００８３】
＜電子機器＞
次に、前述した電気光学装置である液晶装置を各種の電子機器に適用する場合について説明する。
【００８４】
図９は、プロジェクターの構成例を示す平面図である。以下では、この液晶装置をライトバルブとして用いたプロジェクターについて説明する。
【００８５】
図９に示されるように、プロジェクター１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００８６】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００８７】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００８８】
なお、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルターを設ける必要はない。
【００８９】
なお、図９を参照して説明した電子機器の他にも、モバイル型のパーソナルコンピューターや、携帯電話、液晶テレビや、ビューファインダー型、モニター直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に適用可能なのは言うまでもない。
【００９０】
また、本発明は上述の各実施形態で説明した液晶装置以外にも反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００９１】
本発明は、前述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えてなる電子機器もまた本発明の技術的範囲に含まれるものである。
【符号の説明】
【００９２】
６…データ線、９…画素電極、１０…ＴＦＴアレイ基板、１０ａ…画像表示領域、１１…走査線、２０…対向基板、２１…対向電極、３０…ＴＦＴ、３０ａ…半導体層、３０ｂ１、３０ｂ２…ゲート電極、５０…液晶層、７０…蓄積容量、７０ａ…トレンチ内部分、７１、７３…容量電極、７２…誘電体膜、９１…トレンチ。
【図１】
2012155197.tif 000003
【図２】
2012155197.tif 000004
【図３】
2012155197.tif 000005
【図４】
2012155197.tif 000006
【図５】
2012155197.tif 000007
【図６】
2012155197.tif 000008
【図７】
2012155197.tif 000009
【図８】
2012155197.tif 000010
【図９】
2012155197.tif 000011